(57)【要約】【課題】    プラント監視制御室において、低コストで容易に室内の各エリアにアクセントを付けることができ、エリアの明確化、作業効率の向上を図ることが可能な照明システムを提供する。【解決手段】    中央操作盤エリア２０、監視盤エリア３０、通路及びワーキングエリア４０から構成されるプラント監視制御室１００において、通路及びワーキングエリア４０の中でも中央操作盤エリア２０と監視盤エリア３０との境界部分の一部に、ランプから放射された光を反射して下部へ放散する反射筒の長さを調整する調整部７を有する照度調整機能付ダウンライト４３を設置する。この照度調整機能付ダウンライト４３の反射筒全体を調整部７により長く調整し、通路及びワーキングエリア４０の他のダウンライト４２よりも照度が低くなるよう設定することにより、室内の各エリアに容易にアクセントを付けることが可能である。【選択図】        図１
2004215452.tif 000002
【特許請求の範囲】
【請求項１】
プラントの運転を行なう中央操作盤が配置された第１のエリアと、この中央操作盤にて制御される対象を監視する監視盤が配置された第２のエリアと、その他の作業場及び通路を含む第３のエリアより構成されるプラント監視制御室における照明システムであって、前記第３のエリアの少なくとも前記第１及び第２のエリアとの境界部分の一部に、ランプから放射された光を反射して下部へ放散する反射筒の長さを調整する調整手段を有する照度調整機能付照明器具を設置したことを特徴とするプラント監視制御室における照明システム。
【請求項２】
前記第１及び第２のエリアには、前記第３のエリアよりも照度の高い照明器具を設置し、前記第３のエリアの前記第１及び第２のエリアとの境界部分の一部には、前記調整手段により前記反射筒を長く調整し前記第３のエリアの他の照明器具よりも照度が低くなるよう設定された前記照度調整機能付照明器具を設置したことを特徴とする請求項１記載のプラント監視制御室における照明システム。
【請求項３】
前記照度調整機能付照明器具において、前記反射筒の外側に、照度をより微調整するための取替用反射筒を巻き付け固定したことを特徴とする請求項１記載のプラント監視制御室における照明システム。
【発明の詳細な説明】
【０００１】
【発明の属する技術分野】
本発明は、発電所等のプラント監視制御室用における照明システムに関する。
【０００２】
【従来の技術】
発電所等のプラント監視制御室には、プラントの運転を行なう中央操作盤や、この中央操作盤にて制御される対象を細かく監視するための監視盤の他、会議机等を備えたワーキングエリアや通路等が配置されている。これらの各エリアには、それぞれの目的に適した照明器具を設置し、エリア毎にアクセントをつけることにより、エリアの明確化、作業効率の向上を図ることが望ましい。
従来のプラント監視制御室における照明システムについて説明する。中央操作盤付近のエリアは、プラントの運転を行なう重要なエリアであるため、他のエリアよりも照明灯の台数及び照明容量を増して高照度のエリアとし、運転員がヒューマンエラーを起こさないようにしている。このエリアの照明灯としては、一般的な白色蛍光ランプが用いられる。また、監視盤付近のエリアでは、監視用画面としてＣＲＴが設置されることが一般的であり、通常の照明ではＣＲＴ画面に照明が映り込む恐れがあるため、ルーバ付き照明器具を配置して必要な照度を確保している。ルーバ付き照明器具は、白色蛍光ランプを光が拡散しないように格子のケースに収納したもので、一般にＯＡルームの天井等に用いられている。さらに、通路及びワーキングエリアについては、従来、一般蛍光灯にて室内照度を確保していたが、近年は室内の各エリアにアクセントをつけるため、スポットライトであるダウンライトを配置する傾向にある。これらの照明器具は、各エリア単位で設けられている調光器により、それぞれの照度が調整される。
【０００３】
【発明が解決しようとする課題】
このように、従来のプラント監視制御室の総合的な照度の調整方法としては、各エリア単位に設けられた調光器による調整を行っていたが、この方法では、照度の異なる隣り合ったエリア同士の境界が明確でなく、また照明設備を設置後には照度の微調整ができず、各エリアにアクセントを付けるのが難しいという問題があった。また、個々の照明器具毎に調光器を設けた場合、調光器操作系が増え複雑な回路構成となる上、操作器の設置スペース及び配線の増加やコストの増加という問題が発生するため実現は困難であった。
【０００４】
本発明は、上記のような問題点を解消するためになされたもので、プラント監視制御室において、調光器の数を増やさずに、低コストで容易に室内の各エリアにアクセントを付けることができ、エリアの明確化、作業効率の向上を図ることが可能な照明システムを提供することを目的とする。
【０００５】
【課題を解決するための手段】
本発明に係わるプラント監視制御室における照明システムは、プラントの運転を行なう中央操作盤が配置された第１のエリアと、この中央操作盤にて制御される対象を監視する監視盤が配置された第２のエリアと、その他の作業場及び通路を含む第３のエリアより構成されるプラント監視制御室における照明システムであって、第３のエリアの少なくとも第１及び第２のエリアとの境界部分の一部に、ランプから放射された光を反射して下部へ放散する反射筒の長さを調整する調整手段を有する照度調整機能付照明器具を設置したものである。
【０００６】
【発明の実施の形態】
実施の形態１．
以下に、本発明の実施の形態を図面に基づいて説明する。図１は、本発明の実施の形態１におけるプラント監視制御室照明システムによる照明器具の配置図である。プラント監視制御室１００は、第１のエリアである中央操作盤エリア２０と、第２のエリアである監視盤エリア３０と、第３のエリアである通路及びワーキングエリア４０の３つのエリアから構成され、それぞれの目的に応じて異なる種類の照明が設置されている。中央操作盤エリア２０は、プラントの運転を行なう中央操作盤２１が設置された重要なエリアであるため、他のエリアよりも照明灯２２の台数及び照明容量を増して高照度のエリアとし、運転員がヒューマンエラーを起こさないようにしている。この中央操作盤エリア２０の照明灯２２としては、一般的な白色蛍光ランプが用いられる。また、監視盤エリア３０には、中央操作盤２１で制御される対象を細かく監視するための監視盤３１が設置されている。監視盤３１の監視用画面としてはＣＲＴが設置されることが一般的であり、通常の照明ではＣＲＴ画面に照明が映り込む恐れがあるため、ルーバ付き照明器具３２を配置し必要な照度を確保している。ルーバ付き照明器具３２は、白色蛍光灯等を光が拡散しないように格子のケースに収納したもので、一般にＯＡルームの天井等に用いられるものである。また、通路及びワーキングエリア４０には会議や作業に用いられる机４１等が設置されるが、他の２つのエリアに比べて高い照度を必要としないため、スポットライトであるダウンライト４２を配置している。
【０００７】
さらに、本実施の形態では、通路及びワーキングエリア４０の中でも中央操作盤エリア２０と監視盤エリア３０との境界部分の一部に、ランプから放射された光を反射して下部へ放散する反射筒の長さを調整する調整部手段を有する照度調整機能付ダウンライト４３を設置している。本実施の形態における照度調整機能付ダウンライト４３について、図２を用いて説明する。照度調整機能付ダウンライト４３は、電圧を安定させるための電圧安定器１の下側に固定されたソケット２にランプ３（蛍光灯）が取り付けられている。ランプ３から放射された光は、薄い金属からなる反射筒４ａ、４ｂ及び可変反射筒５の内面で反射して傘部６より下部に放散される。薄い金属またはプラスチックからなる可変反射筒５は、下側の反射筒４ｂに巻き付けられた形で固定されており、調整手段である調整部７により反射筒全体（４ａ、５、４ｂ）の長さを調整できるようになっている。調整部７は、上側の反射筒４ａに設けられた突起であるロッド８と可変反射筒５に設けられた６個のロッド固定用切り欠き部９ａ〜９ｆより構成され、ロッド８を６個のロッド固定用切り欠き部９ａ〜９ｆのいずれかに引っかけて固定することにより、上下の反射筒４ａ、４ｂを繋ぎながら反射筒全体（４ａ、５、４ｂ）の長さを調整するものである。すなわち、図２（ａ）に示すように、ロッド８を最も下側のロッド固定用切り欠き部９ｆに固定した場合、反射筒全体（４ａ、５、４ｂ）の長さが最も短くなる。また、図２（ｂ）に示すように、ロッド８を最も上側のロッド固定用切り欠き部９ａに固定した場合、反射筒全体（４ａ、５、４ｂ）の長さが最も長くなり、その差は約Ｌ１となる。なお、図２（ｃ）は、ロッド固定用切り欠き部９ｂに固定されたロッド８を横から見た図である。
【０００８】
照度調整機能付ダウンライト４３の機能について説明する。電圧安定器１を経由して安定供給された電源によりランプ３が点灯する。ランプ３から放射された光はランプ３を包む反射筒４ａ、４ｂの内面を反射しながら下部へと放散されるが、反射筒４ａ、４ｂに接続された可変反射筒５の調整部７により反射筒全体（４ａ、５、４ｂ）の長さを変え、光の反射回数を調整することができる。反射筒全体の長さを長くし反射回数を多くすると、光の減衰率が大きくなり下部へ放散される際、低照度の柔らかな光となる。一方、反射筒全体の長さを短くし反射回数を少なくすると直接的な高照度の光が下部に放散される。
中央操作盤エリア２０に配置された照明灯２２、監視盤エリア３０に配置されたルーバ付照明器具３２、通路及びワーキングエリア４０に配置されたダウンライト４２の照度は、それぞれ各エリア単位で設けられている調光器（図示せず）により調整することができる。ただし、中央操作盤エリア２０と監視盤エリア３０の照度は操作性及び監視性を一定に維持する必要があるため基本的には調整しない。このため、本実施の形態では、通路及びワーキングエリア４０の中でも中央操作盤エリア２０と監視盤エリア３０との境界部分の一部に、調整部７により反射筒全体を長が調整され、他のダウンライト４２よりも照度が低くなるよう設定された照度調整機能付ダウンライト４３を配置する。これにより、各エリアの境界が明確になり、室内全体の照明にアクセントを付けることが可能である。また、照度調整機能付ダウンライト４３を室内の天井に取り付け後も、工事を必要とすることなく容易に照度調整をすることが可能である。なお、図１の配置例では、照度調整機能付ダウンライト４３を中央操作盤エリア２０及び監視盤エリア３０との境界部分の一部に一列に設けたが、さらに二列、三列と設け、中央操作盤エリア２０と監視盤エリア３０との境界部は最も低照度とし、通路及びワーキングエリア４０中心に向かうにつれて反射筒全体を短くして傾斜的に照度を高くしていってもよい。
【０００９】
以上のように、本実施の形態によれば、高照度の中央操作盤エリア２０と、中間照度の監視盤エリア３０と、低照度の通路及びワーキングエリア４０の３つのエリアから構成されるプラント監視制御室１００において、通路及びワーキングエリア４０の中でも中央操作盤エリア２０と監視盤エリア３０との境界部分の一部に、反射筒の長さを調整する調整部７を有する照度調整機能付ダウンライト４３を設置することにより、調光器の数を増やさずに、低コストで容易に室内の各エリアにアクセントを付けることができ、エリアの明確化、作業効率の向上を図ることが可能である。
【００１０】
なお、本実施の形態では、可変反射筒５の調整部７は６個のロッド固定用切り欠き部９ａ〜９ｆを有し、反射筒全体の長さを６段階に変えられるようにしたが、ロッド固定用切り欠き部は６個に限定されるものではなく、必要に応じて設計を変更することができる。さらに、反射筒全体の長さを調整する調整手段としては、本実施の形態における調整部７に限らず、工事を必要とすることなく低コストで容易に反射筒の長さを調整することができる調整手段であれば良く、その構成については特に限定されるものではない。
【００１１】
実施の形態２．
本発明の実施の形態２における照度調整機能付ダウンライトについて、図３を用いて説明する。上記実施の形態１では、可変反射筒５の調整部７により反射筒全体（４ａ、５、４ｂ）の長さを調整できる照度調整機能付ダウンライト４３について述べたが、本実施の形態における照度調整機能付ダウンライト４３’は、前述の照度調整機能付ダウンライト４３に、調整手段である取替用反射筒１０を付加し、さらなる照度の微調整を可能としたものである。取替用反射筒１０は、薄い金属またはプラスチックからなるもので、可変反射筒５に外側から巻き付けられ、下側の反射筒４ｂにロベット等により固定される。
本実施の形態における照度調整機能付ダウンライト４３’によれば、上記実施の形態１で述べた可変反射筒５による反射筒全体の長さの調整に加え、光の吸収率の高い例えば黒色の取替用反射筒１０を巻き付けることにより、光の減衰率を大きくし、低照度の柔らかな光を得ることが可能である。また、光の吸収率が低く反射率の高い取替用反射筒１０を巻き付けることにより、直接的な高照度の照明光を得ることが可能である。このように、本実施の形態によれば、取替用反射筒１０を可変反射筒５に外側から巻き付けることにより、さらなる照度の微調整が可能となる。
【００１２】
【発明の効果】
以上のように、本発明によれば、プラントの運転を実施する中央操作盤が配置された第１のエリアと、この中央操作盤にて制御される対象を監視する監視盤が配置された第２のエリアと、その他の作業場及び通路を含む第３のエリアより構成されるプラント監視制御室における照明システムであって、第３のエリアの少なくとも第１及び第２のエリアとの境界部分の一部に、ランプから放射された光を反射して下部へ放散する反射筒の長さを調整する調整手段を有する照度調整機能付照明器具を設置することにより、調光器の数を増やさずに、低コストで容易に室内の各エリアにアクセントを付けることができ、エリアの明確化、作業効率の向上を図ることが可能である。
【図面の簡単な説明】
【図１】本発明の実施の形態１であるプラント監視制御室照明システムによる照明器具の配置図である。
【図２】    本発明の実施の形態１である照度調整機能付ダウンライトを示す側面図である。
【図３】    本発明の実施の形態２である照度調整機能付ダウンライトを示す側面図である。
【符号の説明】
１  電圧安定器、２  ソケット、３  ランプ、４ａ、４ｂ  反射筒、５  可変反射筒、６  傘部、７  調整部、８  ロッド、９ａ、９ｂ、９ｃ、９ｄ、９ｅ、９ｆ  ロッド固定用切り欠き部、１０  取替用反射筒、２０  中央操作盤エリア、２１  中央操作盤、２２  照明灯、３０  監視盤エリア、３１  監視盤、３２ルーバ付き照明器具、４０  通路及びワーキングエリア、４１  作業机、４２ダウンライト、４３、４３’  照度調整機能付ダウンライト、１００  プラント監視制御室。
【図１】
2004215452.tif 000003
【図２】
2004215452.tif 000004
【図３】
2004215452.tif 000005